(57)【要約】      （修正有）【課題】  ローラースケートを利用する際、バランスを取るときやブレーキを行うのに高度なテクニックが必要となり安全性に問題があること。またブーツ式ローラースケートの場合、靴を履いたまま手軽に利用できないという不都合を解決すること。【解決手段】  ローラースケートの外側にスティック４を付けることにより、手によって安全にバランスをとりやすくし、ローラー７を押さえるブレーキにブレーキワイヤー３を使用し、手で引くブレーキ２を付けることによりスピード調整、制止を行う。さらにスティックを利用したローラースケートを固定することでカートとしても利用できる道具である。【選択図】図１
2008200461.tif 000002
【特許請求の範囲】
【請求項１】
従来のローラースケートにスティックをつけることにより手によってバランスを取りやすくし、スティックにブレーキをつけることによりスピード調整、制止が出来るスティックを利用したローラースケート。
【請求項２】
ローラーを挟んで止めるブレーキを利用した請求項１のスティックを利用したローラースケート。
【請求項３】
手で握るバーの高さを調節できる請求項１のスティックを利用したローラースケート。
【請求項４】
スティックの長さを調節出来る請求項１のスティックを利用したローラースケート。
【請求項５】
スティックの角度を調節できる請求項１のスティックを利用したローラースケート。
【請求項６】
ローラが縦に４個設けられている請求項１のスティックを利用したローラースケート。
【請求項７】
ローラが縦に３個設けられている請求項１のスティックを利用したローラースケート。
【請求項８】
スティックとスケートを固定してカートとしても利用できる請求項１のスティックを利用したローラースケート。
【発明の詳細な説明】
【技術分野】
【０００１】  本発明はローラースケートにスティックを付けることにより手でバランスを取り安くし、ブレーキを利用してスピード調整、制止を行えるローラースケートに関するものである。
【背景技術】
【０００２】  従来、ローラーを利用したスケートによって移動したり楽しんだりすることがなされている。この例として、特許文献１、特許文献２に開示されているものがある。
【特許文献１】  特許公開平１０−００５３８７
【特許文献２】  特許公開平１０−０８０５１４
【発明の開示】
【発明が解決しようとする課題】
【０００３】  しかし、ローラースケートを使用したがブレーキをするときに高度なテクニックが必要となり安全性に問題がある。ブレーキをすることが感覚的にスムーズに行えないと走行中はとても不安になる。またブーツ式のローラースケートだと靴のはきかえが面倒であることがわかった。
本発明は、以上の問題を解決したものである。
【課題を解決するための手段】
【０００４】  この課題を解決するための請求項１の発明は、ローラースケートに（４）スティックをつけて手でバランスを取り安くし、安全に止まれるように（２）手で引くブレーキをつけた。
このことによりスピード調整、制止を簡単に行えるようになる。
【発明の効果】
【０００５】  本発明によりアンバランスなローラーの上でもバランスを取ることが出来き、スピード調整、制止を行いやすくなることにより多くの訓練を必要としないでも楽しく安全に走行できる。また靴を履いたまま使用できるので靴の履き替えなどが必要なくなった。
【発明を実施するための最良の形態】
【０００６】  本発明のスティックを利用したローラースケートのうち請求項１に係るものは、
（イ）ローラースケートの外側に（４）スティックを取り付ける。
（ロ）（６）ローラーに（７）ローラーを押さえるブレーキを取り付け（３）ブレーキワイヤーによって（２）手で引くブレーキを行えるようにする。
（ハ）靴を履いたままでも装着できるように（８）滑り止め、（５）足を止めるバンドを取り付ける。図１では２本の（５）足を止めるバンドを使用しているが２本とは限らない。
本発明を利用するには足を（８）滑り止めの上で（５）足を止めるバンドを使用し固定して（４）スティックの（１）手で握るバーを手に持ちによりバランスを取って立つ。
移動するときはスケートを滑るように体重を順番に片足に掛けながら進む。このときに（４）スティックの（１）手で握るバーを手に持ちバランスをとる。スピード調整、制止するときは（２）手で引くブレーキを利用する。図１では後輪だけブレーキを使用しているが後輪だけとは限らず前輪のみ又は前輪、後輪に使用したりもする。【０００７】  請求項２に係るものは（７）ローラーを押さえるブレーキのところに図４の（９）ローラーを挟むブレーキを利用するものである。【０００８】  請求項３に係るものは図５の（１０）バーの高さ調節を利用して（１）手で握るバーの高さを調節できるものである。【０００９】  請求項４に係るものは図６の（１１）スティックの長さ調節を利用して（４）スティックの高さを調節できるものである。また収納するときに仕舞えるものである。
図６では（１１）スティックの長さ調節は１つであるが１つとは限らない。【００１０】  請求項５に係るものは図８の（１２）スティックの角度調節を利用して（４）スティックの角度を調節できるものである。また収納するときに（４）スティックを９０度に倒して仕舞えるものである。【００１１】  請求項６に係るものは図９の様にローラーを４個にすることで重心を下げてスムーズな走行が出来るものである。【００１２】  請求項７に係るものは図１０の様にローラーを３個にすることで重心を下げてスムーズな走行ができ請求項６よりも重さを軽くしたものである。【００１３】  請求項８に係るものは図１１の様にスティックを外側にし（１４）カートのバー、（１５）スティック固定、（１６）スケート固定を付けることによりカートとしても利用できるものである。また図１２の様にスティックを内側にし（１６）スケート固定、（１７）短いスティック固定を取り付けることによりカートとしても利用できるものである。
【図面の簡単な説明】
【００１４】
【図１】全体図側面
【図２】ローラー部分正面図
【図３】ブレーキ解説（ローラーを押さえるブレーキ）
【図４】ブレーキ解説ローラー正面（ローラーを挟むブレーキ）
【図５】スティック解説（バーの高さ調節）
【図６】スティック解説（スティックの長さ調節）
【図７】人が利用した正面図
【図８】人が利用した側面図（スティックの角度調節）
【図９】ローラが縦に４個設けられている
【図１０】ローラが縦に３個設けられている
【図１１】スティックが外側で固定されているカート
【図１２】スティックが内側で固定されているカート
【符号の説明】
【００１５】  （１）手で握るバー、（２）手で引くブレーキ、（３）ブレーキワイヤー、（４）スティック、（５）足を止めるバンド、（６）ローラー、（７）ローラーを押さえるブレーキ、（８）滑り止め、（９）ローラーを挟むブレーキ、（１０）バーの高さ調節、（１１）スティックの長さ調節、（１２）スティックの角度調節、（１３）人、（１４）カートのバー、（１５）スティック固定、（１６）スケート固定、（１７）短いスティック固定
【図１】
2008200461.tif 000003
【図２】
2008200461.tif 000004
【図３】
2008200461.tif 000005
【図４】
2008200461.tif 000006
【図５】
2008200461.tif 000007
【図６】
2008200461.tif 000008
【図７】
2008200461.tif 000009
【図８】
2008200461.tif 000010
【図９】
2008200461.tif 000011
【図１０】
2008200461.tif 000012
【図１１】
2008200461.tif 000013
【図１２】
2008200461.tif 000014